(57)【特許請求の範囲】
【請求項１】
円筒状スカート壁を有し、該スカート壁には周方向に延びる周方向破断ラインと該周方向破断ラインから該スカート壁の下端まで延びる破断開始ラインとが形成されており、該スカート壁の内周面には該周方向破断ラインよりも上方において半径方向内方に突出する係止手段が形成されている、打栓式合成樹脂製容器蓋において、
該スカート壁には、更に、該周方向破断ラインから上方に間隙Ｓだけ離隔した下端から幅Ｗで軸線方向上方に、該係止手段を越えて延びる軸線方向弱化ラインが周方向に間隔をおいて複数個形成されており、該係止手段は該軸線方向弱化ラインの各々によって中断されており、該周方向破断ラインは該軸線方向弱化ラインの各々が存在する角度部位において中断されていて非破断部が規定されており、該非破断部の周方向長さＬは該間隙Ｓよりも大きいが該幅Ｗよりは小さく（Ｓ＜Ｌ＜Ｗ）、該非破断部の両側における該周方向破断ラインと該軸線方向弱化ラインの下端との間の間隙部分は、該周方向破断ラインを構成している該スコアの残留肉厚Ｔ１及び該軸線方向弱化ラインの残留肉厚Ｔ２よりも厚いが該非破断部の肉厚Ｔ３よりも小さい肉厚Ｔ４を有する、ことを特徴とする容器蓋。
【請求項２】
該間隙Ｓは０．１乃至０．５ｍｍであり、該周方向長さＬは０．７乃至１．３ｍｍである、請求項１記載の容器蓋。
【請求項３】
該周方向破断ラインの各々はスコアから構成されている、請求項１又は２記載の容器蓋。
【請求項４】
該肉厚Ｔ３は０．９乃至１．５ｍｍであり、該肉厚Ｔ４は０．５乃至１．０ｍｍである、請求項１から３までのいずれかに記載の容器蓋。
【請求項５】
該軸線方向弱化ライン、該周方向破断ラインを構成する該スコア、及び該非破断部の両側における該周方向破断ラインと該軸線方向弱化ラインの下端との間の間隙部分は、該スカート壁の内周面に溝を刻設することによって残留肉厚が低減せしめられている、請求項１から４までのいずれかに記載の容器蓋。
【請求項６】
該破断開始ラインが該周方向破断ラインから該スカート壁の下端まで延びるスリットによって構成されており、該周方向破断ラインの破断方向に見て下流側で該スリットに隣接せしめて、該スカート壁の下端縁から下方に突出する突出片が形成されている、請求項１から５までのいずれかに記載の容器蓋。
【発明の詳細な説明】
【０００１】
【発明の属する技術分野】
本発明は、打栓式、即ち容器の口頸部に被嵌して軸線方向下方に押圧することによって口頸部に装着される形式、の合成樹脂製容器蓋、更に詳しくは、容器の内容物が消費された後には容器から容易に分離せしめて容器とは別個に所謂分別回収することができる合成樹脂製容器蓋に関する。
【０００２】
【従来の技術】
頂面が開口された円筒状口頸部を有し、この口頸部の外周面には環状係止突条が形成されている容器のための容器蓋として、ポリエチレン又はポリプロピレンの如き適宜の合成樹脂から形成された容器蓋が広く実用に供されている。容器蓋は円筒状スカート壁を有し、このスカート壁の内周面には半径方向内方に突出する環状突条でよい係止手段が形成されている。容器の口頸部に容器蓋を装着する際には、口頸部に容器蓋を被嵌して軸線方向下方に押圧し、これによつて容器蓋の係止手段を口頸部の環状係止突条に係合せしめる。
【０００３】
而して、近時においては、所謂分別回収のために、容器の内容物を消費した後に容器及び容器蓋を破棄する際には容器の口頸部から容器蓋を分離することが望まれている。かような要望を充足する容器蓋は、分別回収のために容器の口頸部から容器蓋を分離する前の通常状態においては、容器の口頸部に容器蓋が充分確実に保持され、口頸部から容器蓋が偶発的に離脱されることが確実に回避されることが重要であると共に、分別回収のために口頸部から容器蓋を離脱せしめる際には、栓抜きの如き特別な工具等を必要とすることなく充分容易に口頸部から容器蓋を離脱することができることが重要である。
【０００４】
実用新案登録第２５５９２６６号公報には、上記要望に対する合成樹脂製容器蓋として、円筒状スカート壁に周方向に延びる周方向破断ラインとこの周方向破断ラインからスカート壁の下端まで延びる破断開始ラインとを形成し、上記係止手段を周方向破断ラインよりも上方に配設した形態の容器蓋が開示されている。周方向破断ラインは残留肉厚が低減せしめられたスコアから構成することができ、破断開始ラインはスリットから構成することができる。容器の口頸部に容器蓋が所要とおりに装着されている通常状態においては、スカート壁には周方向破断ラインよりも下方を延在する裾部が存在することに起因して、スカート壁の周方向破断ラインよりも上方の部位、即ち係止手段が配設されている部位が半径方向外方に変位することが阻止乃至抑制され、これによって容器の口頸部に容器蓋が充分確実に保持される。一方、容器の口頸部から容器蓋を離脱せしめる際には、周方向破断ラインを破断せしめて、係止手段の直ぐ下方にてスカート壁を周方向に少なくとも大部分に渡って破断せしめる。かくすると、係止手段が半径方向外方に変位することが可能になり、容器の口頸部から容器蓋を離脱せしめることが可能になる。
【０００５】
【発明が解決しようとする課題】
而して、上述した形態の従来の容器蓋には、周方向破断ラインを破断せしめた後においても、係止手段を半径方向外方に変位せしめることが不可能ではないにしても容易ではなく、特別な工具を使用することなく容器蓋を容器の口頸部から離脱せしめることが相当困難であった。
【０００６】
本発明は上記事実に鑑みてなされたものであり、その主たる技術的課題は、容器の口頸部に容器蓋が装着されている通常状態においては、容器の口頸部から容器蓋が離脱することが充分確実に阻止乃至抑制されるにもかかわらず、分別回収のために容器の口頸部から容器蓋を離脱する際には特別な工具等を必要とすることなく、容器の口頸部から充分確実に容器蓋を離脱せしめることができる、新規且つ改良された容器蓋を提供することである。
【０００７】
【課題を解決するための手段】
本発明者は、鋭意検討の結果、スカート壁に、周方向破断ラインから上方に間隙Ｓだけ離隔した下端から幅Ｗで軸線方向上方に、係止手段を越えて延びる軸線方向弱化ラインを周方向に間隔をおいて複数個形成し、係止手段を軸線方向弱化ラインの各々によって中断せしめ、周方向破断ラインを軸線方向弱化ラインの各々が存在する角度部位において中断せしめて非破断部を規定し、そして非破断部の周方向長さＬを間隙Ｓよりも大きいが幅Ｗよりは小さく（Ｓ＜Ｌ＜Ｗ）し、非破断部の両側における周方向破断ラインと軸線方向弱化ラインの下端との間の間隙部分を、周方向破断ラインを構成しているスコアの残留肉厚Ｔ１及び軸線方向弱化ラインの残留肉厚Ｔ２よりも厚いが非破断部の肉厚Ｔ３よりも小さい肉厚Ｔ４にせしめることによって、上記主たる技術的課題を達成することができることを見出した。
【０００８】
即ち、本発明によれば、上記主たる技術的課題を達成する打栓式合成樹脂製容器蓋として、円筒状スカート壁を有し、該スカート壁には周方向に延びる周方向破断ラインと該周方向破断ラインから該スカート壁の下端まで延びる破断開始ラインとが形成されており、該スカート壁の内周面には該周方向破断ラインよりも上方において半径方向内方に突出する係止手段が形成されている、打栓式合成樹脂製容器蓋において、
該スカート壁には、更に、該周方向破断ラインから上方に間隙Ｓだけ離隔した下端から幅Ｗで軸線方向上方に、該係止手段を越えて延びる軸線方向弱化ラインが周方向に間隔をおいて複数個形成されており、該係止手段は該軸線方向弱化ラインの各々によって中断されており、該周方向破断ラインは該軸線方向弱化ラインの各々が存在する角度部位において中断されていて非破断部が規定されており、該非破断部の周方向長さＬは該間隙Ｓよりも大きいが該幅Ｗよりは小さく（Ｓ＜Ｌ＜Ｗ）、該非破断部の両側における該周方向破断ラインと該軸線方向弱化ラインの下端との間の間隙部分は、該周方向破断ラインを構成している該スコアの残留肉厚Ｔ１及び該軸線方向弱化ラインの残留肉厚Ｔ２よりも厚いが該非破断部の肉厚Ｔ３よりも小さい肉厚Ｔ４を有する、ことを特徴とする容器蓋が提供される。
【０００９】
好適実施形態においては、該間隙Ｓは０．１乃至０．５ｍｍであり、該周方向長さＬは０．７乃至１．３ｍｍである。該周方向破断ラインはスコアから構成することが好適である。好ましくは、該肉厚Ｔ３は０．９乃至１．５ｍｍであり、該肉厚Ｔ４は０．５乃至１．０ｍｍである。該軸線方向弱化ライン、該周方向破断ラインを構成する該スコア、及び該非破断部の両側における該周方向破断ラインと該軸線方向弱化ラインの下端との間の間隙部分は、該スカート壁の内周面に溝を刻設することによって残留肉厚が低減せしめられているのが好都合である。該破断開始ラインが該周方向破断ラインから該スカート壁の下端まで延びるスリットによって構成されており、該周方向破断ラインの破断方向に見て下流端側で該スリットに隣接せしめて、該スカート壁の下端縁から下方に突出する突出片が形成されているのが好適である。
【００１０】
【発明の実施の形態】
以下、本発明に従って構成された容器蓋の好適実施形態を図示している添付図面を参照して、更に詳細に説明する。
【００１１】
図１を参照して説明すると、全体を番号２で示す容器蓋は、ポリエチレン又はポリプロピレンの如き適宜の合成樹脂から一体に成形されている。かかる容器蓋２は、実質上水平に延在せしめられている円形主壁４を有する。主壁４は環状主部６、中央部に配置されている円形没入部８、及び主部６と没入部８との間に介在せしめられている円錐台筒状部１０を有する。主部６には平面図において円形或いは方形等の適宜の形状でよい破断ライン１２が形成されており、かかる破断ライン１２によって除去領域が規定されている。図示の実施形態における破断ライン１２は残留肉厚を低減せしめることによって形成されるスコアから構成されている。主壁４における主部６の上面には、破断ライン１２の直ぐ内側にて上方に延びる連結柱１４が形成され、この連結柱１４の上端にはリング１６が接続されている。主壁４における主部６の上面には、更に、破断ライン１２の外側において上方に突出する略円筒形状の注出案内筒１８と、この注出案内筒１８の外側において上方に突出する円筒形状の装着筒２０とが形成されている。注出案内筒１８の先端部即ち上端部は半径方向外側に湾曲せしめられている。装着筒２０の外周面には雄螺条２２が形成されている。
【００１２】
主壁４における主部６の下面には、上記破断ライン１２よりも外側において下方に垂下する略円筒形状の内側シール壁２４が形成されている。主壁４における主部６の下面には、更に、その周縁から下方に垂下する外側スカート壁２６も形成されている。
【００１３】
図１乃至図３を参照して説明を続けると、このスカート壁２６には周方向に延びる周方向破断ライン２８が形成されている。図示の実施形態おいては、周方向破断ライン２８は、比較的短い周方向長さＬを有する７個の非破断部３０によって中断されている。非破断部３０によって中断されている部分を除いて、周方向破断ライン２８は残留肉厚を低減せしめることによって形成されるスコア、殊にスカート壁２６の内周面に溝を刻設せしめて残留肉厚を低減せしめることによって形成されるスコアであるのが好適である。非破断部３０は通常の肉厚を有する、換言すれば非破断部３０においては肉厚は低減せしめられていない。非破断部３０の各々は後述する軸線方向弱化ラインの各々に対応して位置せしめられている。図示の実施形態においては、更に、周方向破断ライン２８の両端間に、５乃至１５度の角度範囲に渡って、従って比較的長い周方向長さを有する非破断領域３２も規定されている。かかる非破断領域３２も非破断部３０と同様に通常の肉厚を有する、換言すれば非破断領域３２においても肉厚は低減されていない。所望ならば、非破断領域３２を省略して、周方向破断ライン２８を非破断部３０による中断を除いて周方向全体に渡って連続して延びる形態にせしめることもできる。図２に明確に図示する如く、スカート壁２６には、破断開始ライン３４も形成されている。この破断開始ライン３４は周方向破断ライン２８からスカート壁２６の下端まで延びるスリットによって構成されており、その主部は下方に向かって周方向片側（図２において左側）に傾斜して直線状に延びている。周方向破断ライン２８の破断方向に見て下流側には、破断開始ライン３４を構成するスリットに隣接せしめて、スカート壁２６の下端縁から下方に突出する突出片３６が形成されているのが好都合である。
【００１４】
スカート壁２６には、更に、周方向破断ライン２８の直ぐ上方にて半径方向内側に突出する係止手段３８が形成されている。図示の実施形態における係止手段３８は、後述する軸線方向弱化ラインが形成されている部位を除いて周方向全周に渡って連続して延びる突条から構成されている。係止手段３８を構成する突条の横断面形状は略半円形状でよい。スカート壁２６には、更に、周方向破断ライン２８よりも下方にて半径方向内側に突出する付加係止手段４０も形成されている。この付加係止手段４０は破断開始ライン３４が存在する部分における中断を除いて周方向全体に渡って連続して延びている。付加係止手段４０を構成する突条の横断面形状も略半円形状でよい。
【００１５】
図１と共に図３乃至図５を参照して説明すると、本発明に従って構成された容器蓋２においては、スカート壁２６には、更に、上記周方向破断ライン２８から上方に間隙Ｓだけ離隔した下端から幅Ｗで軸線方向上方に延びる軸線方向弱化ライン４２が周方向に間隔をおいて複数個形成されていることが重要である。図示の実施形態においては、７個の軸線方向弱化ライン４２が形成されており、７個の軸線方向弱化ライン４２の各々の周方向位置は周方向破断ライン２８を中断する上記７個の非破断部３０と整合せしめられている。換言すれば、軸線方向弱化ライン４２の幅方向即ち周方向中心と非破断部３０の周方向中心とは合致せしめられているのが好適である。図示の実施形態においては、上記非破断領域３２が存在する部位においては軸線方向弱化ライン４２が配置されておらず、非破断領域３２の両側に位置する軸線方向弱化ライン４２間の周方向間隔は隣接する軸線方向弱化ライン４２間の通常の間隔よりも幾分大きいが、かかる周方向間隔を除く他の隣接する軸線方向弱化ライン４２間の周方向間隔は実質上同一である。周方向破断ライン２８を中断する非破断部３０の周方向長さＬは、周方向破断ライン２８と軸線方向弱化ライン４２の下端との上記間隙Ｓよりも大きいが、軸線方向弱化ライン４２の上記幅Ｗよりは小さくせしめられている（Ｓ＜Ｌ＜Ｗ）ことが重要である。間隙Ｓは０．１乃至０．５ｍｍ程度であり、周方向長さＬは０．７乃至１．３ｍｍ程度であるのが好適である。軸線方向弱化ライン４２の各々は、周方向破断ライン２８から上記間隙Ｓだけ上方に離隔した下端から、実質上鉛直に軸線方向上方に係止手段３８を越えて延びているスコア、殊にスカート壁２６の内周面に溝を刻設せしめて残留肉厚を低減せしめることによって形成されるスコアから構成されているのが好適である。従って、上記係止手段３８を構成している突条は軸線方向弱化ライン４２の各々によって中断されている。所望ならば、スカート壁２６の内周面に溝を刻設することに代えて或いはこれに加えて、スカート壁２６の外周面に溝を刻設することによって残留肉厚を低減せしめて形成されたスコアから軸線方向弱化ライン４２を形成することもできる。この場合にも、係止手段３８を構成する突条は軸線方向弱化ライン４２が存在する部位にて中断することが必要である。更に、スコアに代えてスリット又はスリットとスコアとの組合せから軸線方向弱化ライン４２を構成することもできる。
【００１６】
図３及び図４を参照することによって明確に理解されるとおり、非破断部３０の両側における周方向破断ライン２８と軸線方向弱化ライン４２の下端との間の間隙部分４４も、スカート壁２６の通常の部分よりも肉厚が低減せしめられている、好ましくはスカート壁２６の内周面に溝を刻設することによって肉厚が低減せしめられている、ことが重要である。間隙部分４４の肉厚Ｔ４は、周方向破断ライン２８を構成しているスコアの残留肉厚Ｔ１及び軸線方向弱化ライン４２の残留肉厚Ｔ２よりも厚く非破断部３０の残留肉厚Ｔ３よりは小さくせしめられている。肉厚Ｔ３は０．９乃至１．５ｍｍ程度であり、肉厚Ｔ４は０．５乃至１．０ｍｍ程度であるのが好ましい。間隙部分４４の肉厚Ｔ４が過剰に厚いと、後述するとおりにして周方向破断ライン２８を破断する際に間隙部分４４が所要とおりに破断されない傾向が発生し、間隙部分４４の肉厚Ｔ４が過剰に薄いと、容器蓋２を後述するとおりにして容器の口頸部に装着した状態において軸線方向弱化ライン４２が比較的容易に周方向に伸長することに起因して係止手段３８が半径方向外側に比較的容易に変位し、それ故に口頸部に対する容器蓋２の保持が必ずしも十分でなくなる傾向がある。間隙部分４４の肉厚Ｔ１及び肉厚Ｔ２は０．1乃至０．４ｍｍ程度でよい。
【００１７】
上述した容器蓋２の使用様式について説明すると、容器蓋２は図１に二点鎖線で示す口頸部４６を有する容器に適用される。ガラス或いはポリエチレンテレフタレートの如き適宜の合成樹脂から形成することができる容器は、頂面が開口された円筒形状の口頸部４６を有する。この口頸部４６の外周面には全周に渡って連続して延びる上側環状突条４８及び下側環状突条５０が形成されている。上側環状突条４８は口頸部４６の外周面上端部に位置せしめられ、下側環状突条５０は上側環状突条５０よりも幾分下方に位置せしめられている。口頸部４６に容器蓋２を装着して口頸部４６を密封する際には、口頸部４６に容器蓋２を被嵌し、更に詳しくは容器蓋２のスカート壁２６を口頸部４６に被嵌し、そして容器蓋２を下方に押圧する。かくすると、スカート壁２６の内周面に形成されている係止手段３８が口頸部４６の外周面に形成されている環状係止突条４８を弾性的に乗り越えて環状係止突条４８に係止せしめられ、そしてまたスカート壁２６の内周面に形成されている付加係止手段４０が口頚部４６の外周面に形成されている環状係止突条５０を弾性的に乗り越えて環状係止突条５０に係止せしめられ、かくして容器蓋２が口頸部４６に係止せしめられる。かようにして口頸部４６に容器蓋２を装着すると、容器蓋２は口頸部４６に充分確実に保持される。スカート壁２６は係止手段３８よりも下方に存在する部分、即ち周方向破断ライン２８以下の部分を含んでいるが故に、係止手段３８が半径方向外方に変位することは充分確実に阻止乃至抑制され、それ故に容器蓋２は口頸部４６に充分確実に保持される。スカート壁２６には複数個の軸方向弱化ライン４２が形成されているが、かかる軸線方向弱化ライン４２の各々に対応せしめて周方向破断ライン２８は非破断部３０によって中断されており、それ故に軸線方向弱化ライン４２が周方向に伸長して係止手段３８が半径方向外方に変位することは十分確実に防止される。容器蓋２には、更に、図１に二点鎖線で示す如く、外蓋５２が装着される。この外蓋５２は円形天面壁５４とこの天面壁５４の周縁から垂下する円筒状スカート壁５６とを有する。スカート壁５６の内周面には雌螺条５８が形成されている。かような外蓋５２はその雌螺条５８を容器蓋２の装着壁２０に形成されている雄螺条２２に螺合せしめられることによって容器蓋２に着脱自在に装着される。
【００１８】
容器２の内容物を消費する際には、容器蓋２から外蓋５２を離脱せしめる。次いで、容器蓋２の主壁４に付設されているリング１６に指を掛けて引っ張り、破断ライン１２を破断せしめて破断ライン１２内に規定されている除去領域を除去し、主壁４に排出開口を生成する。しかる後においては、例えば容器を傾動せしめることによって、排出開口を通して容器の内容物、例えば液体調味料、を排出することができる。注出案内筒１８は排出される内容物の流出を案内する。
【００１９】
容器の内容物を全て消費した後に、容器及び容器蓋２を破棄する場合には、所謂分別回収のために、容器の口頸部４６から容器蓋２を離脱せしめることが望まれる。この際には、スカート壁２６の下端部から下方に突出する突出片３６を指で把持して図６において右方に引っ張る。かくすると、破断開始ライン３４に次いで周方向破断ライン２８の破断が周方向に進行し、非破断部３０の片側に達する。しかる後においては、非破断部３０の周方向長さＬが間隙Ｓよりも大きく幅Ｗよりは小さくせしめられていると共に、非破断部４２の両側における周方向破断ライン２８と軸線方向弱化ライン４２の下端との間の間隙部分４４の肉厚Ｔ４が、周方向破断ライン２８を構成しているスコアの残留肉厚Ｔ１及び軸線方向弱化ライン４２の残留肉厚Ｔ２よりも大きいが非破断部３０の肉厚Ｔ３よりは小さくせしめられていて、非破断部３０の強度より間隙部分４４の強度が小さく設定されている故に、非破断部３０の片側において間隙部分４４が軸線方向に破断される。次いで、突出片３６の近傍が周方向に引っ張られることに起因して軸方向弱化ライン４２が周方向に破断される。そして更に、非破断部３０の他側において、間隙部分４４が軸線方向に破断される。かくして、非破断部３０で中断されている軸線方向弱化ライン４２の破断は非破断部３０を迂回し、非破断部３０の両側においては間隙部分４４が軸線方向に破断され、間隙部分４４間において軸線方向弱化ライン４２が周方向に破断され、そして周方向破断ライン２８の破断が漸次進行せしめられる。周方向破断ライン２８の破断が進行すると、口頸部４６の下側環状突条５０に対する容器蓋２の付加係止手段４０の係止が解除される。図示の実施形態においては、周方向長さが比較的長い非破断領域３２が存在する。従って、図６に図示する如く、周方向破断ライン２８を破断せしめても、スカート壁２６における周方向破断ライン２８よりも下方の部分は非破断領域３２を介して周方向破断ライン２８よりも上方の部分に接続され続ける。しかる後に、スカート壁２６における周方向破断ライン２８よりも下方の、帯状に延在する部分を適宜に把持して上方に引っ張る。かくすると、軸線方向弱化ライン４２の各々においてスカート壁２６が周方向に伸張され、或いは必要に応じて複数個の軸線方向弱化ライン４２の少なくとも一部において軸線方向弱化ライン４２がその下端から少なくとも部分的に軸線方向上方に向かって破断される。それ故に、スカート壁２６に形成されている係止手段３８は比較的容易に半径方向外方に変位することができるようになり、容器蓋２の係止手段３８も容器の口頸部４６に形成されている環状係止突条４８から離脱せしめられる。従って、スカート壁２６における周方向破断ライン２８よりも下方の、帯状に延在する部分を更に上方に引っ張ることによって容器蓋２の全体を容器の口頸部４６から比較的容易に離脱せしめることができる。上記非破断領域３２が配設されていない場合には、周方向破断ライン２８を破断せしめると、スカート壁２６における周方向破断ライン２８よりも下方の部分がそれよりも上方の部分から完全に分離される。この場合には、周方向破断ライン２８の破断の後に、例えば容器の口頸部４６の上に残留しているスカート壁２６の下端、即ち周方向破断ライン２８の切断部に指を掛けて上方に強制することによって、容器の口頸部４６から容器蓋２を離脱せしめることができる。
【００２０】
【発明の効果】
本発明に従って構成された容器蓋によれば、容器の口頸部に容器蓋が装着されている通常状態においては、容器の口頸部から容器蓋が離脱することが充分確実に阻止乃至制御されるにもかかわらず、分別回収のために容器の口頸部から容器蓋を離脱する際には特別な工具等を必要とすることなく、容器の口頸部から充分容易に容器蓋を離脱せしめることができる。
【図面の簡単な説明】
【図１】本発明に従って構成された容器蓋の好適実施形態を示す断面図。
【図２】図１に示す容器蓋の正面図。
【図３】図１に示す容器蓋における軸線方向弱化ライン近傍を拡大して示す斜視図。
【図４】図１のＡ−Ａにおける部分断面図。
【図５】図１の線Ｂ−Ｂにおける部分断面図。
【図６】図１に示す容器蓋の、周方向破断ラインを破断せしめた状態を示す正面図。
【符号の説明】
２：容器蓋
２６：スカート壁
２８：周方向破断ライン
３０：非破断部
３６：突出片
３８：係止手段
４２：軸方向弱化ライン
４４：間隙部分
【図１】
0004663082.tif 000002
【図２】
0004663082.tif 000003
【図３】
0004663082.tif 000004
【図４】
0004663082.tif 000005
【図５】
0004663082.tif 000006
【図６】
0004663082.tif 000007